(57)【特許請求の範囲】
【請求項１】
送信器を使用して複数の部分帯域幅トレーニング信号を送信するステップと、
帯域幅を有し、ＩＱインバランスに起因する受信器障害を示す受信器の複数の応答信号を取り込むステップとを含み、各応答信号は前記部分帯域幅トレーニング信号のうちの１つに関連し、前記部分帯域幅トレーニング信号のそれぞれは前記受信器帯域幅の一部分に関連し、さらに、
前記複数の応答信号に基づいて複数の部分補償フィルタを生成するステップを含み、各部分補償フィルタは前記応答信号のうちの１つに関連し、さらに、
前記受信器障害を補償するように動作可能な受信器補償フィルタを構成するために前記部分補償フィルタを組み合わせるステップとを含む、障害についてトランシーバを補償する方法。
【請求項２】
前記送信器を使用して全帯域幅トレーニング信号を送信するステップをさらに含み、前記送信器は送信器障害を有し、さらに、
前記全帯域幅トレーニング信号に対する前記受信器の第２応答信号を取り込むステップと、
フィルタリングされた応答信号を生成するために前記受信器補償フィルタを使用して前記第２応答信号をフィルタリングするステップと、
前記全帯域幅トレーニング信号を前記フィルタリングされた応答信号と比較し、前記比較に基づいて前記送信器障害を補償するように送信器補償フィルタを構成するステップとをさらに含む、請求項１に記載の方法。
【請求項３】
前記送信器補償フィルタを使用して前記送信器によって送信されるデータをフィルタリングするステップと、
前記受信器補償フィルタを使用して前記受信器によって受信されたデータをフィルタリングするステップとをさらに含む、請求項２に記載の方法。
【請求項４】
前記部分補償フィルタの選択された１つを生成するステップは、
前記関連する部分帯域幅トレーニング信号に関する前記受信器の前記応答信号を取り込むステップと、
前記応答信号の共役信号を生成するステップと、
前記応答信号、前記共役信号、および複数のフィルタ係数に基づいて推定信号を生成するステップと、
前記推定信号への前記共役信号の寄与を最小化するために前記フィルタ係数を反復して調整するステップと、
前記調整された係数を使用して前記選択された部分補償フィルタを構成するステップとを含む、請求項１に記載の方法。
【請求項５】
前記部分補償フィルタを組み合わせるステップは、
各部分補償フィルタを周波数領域に変換するステップと、
前記変換された部分補償フィルタを前記周波数領域でつなぐステップと、
前記受信器補償フィルタを生成するために前記つながれた部分補償フィルタを時間領域に変換するステップとを含む、請求項１に記載の方法。
【請求項６】
前記変換された部分補償フィルタをつなぐステップは、オーバーラップする点で前記変換された部分補償フィルタの平均をとるステップを含む、請求項５に記載の方法。
【請求項７】
複数の部分帯域幅トレーニング信号を送信するように動作可能な送信器と、
ＩＱインバランスに起因する障害を有し、前記複数の部分帯域幅トレーニング信号を受信するように動作可能な受信器と、
前記受信器の複数の応答信号を取り込むように動作可能な受信器取込ユニットとを備え、各応答信号は前記部分帯域幅トレーニング信号のうちの１つに関連し、前記部分帯域幅トレーニング信号のそれぞれは受信器帯域幅の一部分に関連し、さらに、
前記受信器によって受信された信号をフィルタリングするように動作可能な受信器補償フィルタと、
各部分補償フィルタが前記応答信号のうちの１つに関連する複数の部分補償フィルタを前記複数の応答信号に基づいて生成し、前記受信器障害を補償するように受信器補償フィルタを構成するために前記部分補償フィルタを組み合わせるように動作可能な受信器補償推定ユニットとを含む、トランシーバ。
【請求項８】
前記送信器は、障害を有し、全帯域幅トレーニング信号を送信するようにさらに動作可能であり、前記取込ユニットは、前記全帯域幅トレーニング信号に対する前記受信器の第２応答信号を取り込むように動作可能であり、前記受信器補償フィルタは、フィルタリングされた応答信号を生成するために前記第２応答信号をフィルタリングするように動作可能であり、前記トランシーバは、
前記送信器によって送信された信号をフィルタリングするように動作可能な送信器補償フィルタと、
前記全帯域幅トレーニング信号を取り込むように動作可能な送信器取込ユニットと、
前記取り込まれた全帯域幅トレーニング信号を前記フィルタリングされた応答信号と比較し、前記比較に基づいて前記送信器障害を補償するように前記送信器補償フィルタを構成するように動作可能な送信器補償推定ユニットとをさらに含む、請求項７に記載のトランシーバ。
【請求項９】
前記受信器補償推定ユニットは、前記関連する部分帯域幅トレーニング信号に関する前記受信器取込ユニットによって取り込まれた前記応答信号の共役信号を生成し、前記応答信号、前記共役信号、および複数のフィルタ係数に基づいて推定信号を生成し、前記推定信号への前記共役信号の寄与を最小化するために前記フィルタ係数を反復して調整し、前記調整された係数を使用して前記部分補償フィルタの選択された１つを構成することとによって、前記選択された部分補償フィルタを生成するように動作可能である、請求項７に記載のトランシーバ。
【請求項１０】
前記受信器補償推定ユニットは、各部分補償フィルタを周波数領域に変換し、前記変換された部分補償フィルタを前記周波数領域でつなぎ、前記受信器補償フィルタの係数を生成するために前記つながれた部分補償フィルタを時間領域に変換することとによって、前記部分補償フィルタを組み合わせるように動作可能である、請求項７に記載のトランシーバ。
【発明の詳細な説明】
【技術分野】
【０００１】
関連出願の相互参照
該当なし。
【０００２】
開示される主題は、一般に、遠隔通信に関し、より具体的には、トランシーバ障害を補償する方法および装置に関する。
【背景技術】
【０００３】
遠隔通信では、ダイレクト・コンバージョン（ｄｉｒｅｃｔ−ｃｏｎｖｅｒｓｉｏｎ）技法は、中間周波数を使用せずにベースバンド信号を搬送波信号と混合することを用いる。ダイレクト・コンバージョン受信器（ＤＣＲ）は、ホモダイン（ｈｏｍｏｄｙｎｅ）受信器、シンクロダイン（ｓｙｎｃｈｒｏｄｙｎｅ）受信器、またはゼロＩＦ受信器としても知られるが、周波数において搬送波信号に同期された局部発振器信号と着信信号を混合することによって、着信信号を復調することができる。その後、ベースバンド信号を、さらなる検波を必要とせずに、単純にミキサ出力を低域フィルタリングすることによって入手することができる。
【０００４】
ダイレクト・コンバージョン・トランシーバを、単一のチップ上で実施し、これを安価で多用途にすることができる。しかし、ベースバンド信号（すなわち、同相（Ｉ）および直角位相（Ｑ））の送信経路および受信経路は、独立に形成される。これらの経路内の小さい変動は、ＩＱインバランス（ＩＱ  ｉｍｂａｌａｎｃｅ）障害とも呼ばれる、それぞれの送信信号および受信信号の振幅変動および位相変動を導入する。
【０００５】
ダイレクト・コンバージョン・トランシーバを校正するために、使用の前に障害を識別して補償しなければならない。この補償は、経路ごとに別々の外部基準を使用してダイレクト・コンバージョン送信器とダイレクト・コンバージョン受信器とを別々に校正する必要があるので、むずかしい。補償されない受信器が、完全な周波数スパンにわたって送信器を校正するのに使用される場合には、送信器校正が、受信器の障害によって損なわれ、逆も同様である。
【発明の概要】
【発明が解決しようとする課題】
【０００６】
本文書のこの項は、以下で説明され、かつ／または請求される開示される主題のさまざまな態様に関係する可能性がある技術のさまざまな態様を導入することを意図されたものである。この項は、開示される主題のさまざまな態様のよりよい理解を容易にするために背景情報を提供する。本文書のこの項の陳述が、これを考慮して読まれなければならず、従来技術の容認として読まれてはならないことを理解されたい。開示される主題は、上で示した問題の１つまたは複数を克服し、または少なくともその影響を減らすことを目的とする。
【課題を解決するための手段】
【０００７】
次では、開示される主題のいくつかの態様の基本的な理解を提供するために、開示される主題の単純化された要約を提示する。この要約は、開示される主題の網羅的概要ではない。開示される主題の主要または重大な要素を識別することも、開示される主題の範囲を区切ることも、意図されていない。その唯一の目的は、後で述べる、より詳細な説明の前置きとして、単純化された形でいくつかの概念を提示することである。
【０００８】
開示される主題の一態様は、障害についてトランシーバを補償する方法に見られる。この方法は、送信器を使用して複数の部分帯域幅トレーニング信号を送信するステップを含む。帯域幅を有し、受信器障害を示す受信器の複数の応答信号を取り込む。各応答信号は、部分帯域幅トレーニング信号のうちの１つに関連する。部分帯域幅トレーニング信号のそれぞれは、受信器帯域幅の一部分に関連する。複数の部分補償フィルタを複数の応答信号に基づいて生成する。各部分補償フィルタは、応答信号のうちの１つに関連する。受信器障害を補償するように動作可能な受信器補償フィルタを構成するために部分補償フィルタを組み合わせる。
【０００９】
開示される主題のもう１つの態様は、送信器と、受信器と、受信器取込ユニットと、受信器補償フィルタと、受信器補償推定ユニットとを含む、トランシーバに見られる。送信器は、複数の部分帯域幅トレーニング信号を送信するように動作可能である。受信器は、障害を有し、複数の部分帯域幅トレーニング信号を受信するように動作可能である。受信器取込ユニットは、受信器の複数の応答信号を取り込むように動作可能である。各応答信号は、部分帯域幅トレーニング信号のうちの１つに関連する。部分帯域幅トレーニング信号のそれぞれは、受信器帯域幅の一部分に関連する。受信器補償フィルタは、受信器によって受信された信号をフィルタリングするように動作可能である。受信器補償推定ユニットは、複数の部分補償フィルタを複数の応答信号に基づいて生成するように動作可能である。各部分補償フィルタは、応答信号のうちの１つに関連する。受信器補償推定ユニットは、受信器障害について補償するように受信器補償フィルタを構成するために部分補償フィルタを組み合わせるように動作可能である。
【００１０】
開示される主題を、以下で、添付図面を参照して説明する。添付図面では、同様の符号が同様の要素を表す。
【図面の簡単な説明】
【００１１】
【図１】本主題の１つの例示的実施形態によるトランシーバを示す単純化されたブロック図である。
【図２Ａ】図１のトランシーバ内の受信器を補償するのに使用されるトレーニング信号を示す図である。
【図２Ｂ】図１のトランシーバ内の受信器を補償するのに使用されるトレーニング信号を示す図である。
【図２Ｃ】図１のトランシーバ内の受信器を補償するのに使用されるトレーニング信号を示す図である。
【図３】図１のトランシーバの受信器障害をモデル化する図である。
【図４】図１のトランシーバ内の送信器を補償する全帯域幅トレーニング信号を示す図である。
【発明を実施するための形態】
【００１２】
開示される主題は、さまざまな変更および代替の形態を許すが、その特定の実施形態が、図面に例として示され、本明細書で詳細に説明される。しかし、特定の実施形態の本明細書での説明が、開示される主題を開示される特定の形態に限定することを意図されているのではなく、逆に、その意図が、添付の特許請求の範囲によって定義される開示される主題の趣旨および範囲に含まれるすべての修正形態、同等物、および代替形態を包含することであることを理解されたい。
【００１３】
開示される主題の１つまたは複数の特定の実施形態を、下で説明する。開示される主題が、本明細書に含まれる実施形態および図に限定されるのではなく、実施形態の諸部分を含むこれらの実施形態の変更された形と、添付の特許請求の範囲の範囲に含まれる異なる実施形態の要素の組合せとを含むことが、特に意図されている。すべてのそのような実際の実施態様の開発において、すべての工学プロジェクトまたは設計プロジェクトと同様に、実施態様ごとに異なる可能性があるシステム関連制約およびビジネス関連制約の遵守などの開発者の固有の目標を達成するために、多数の実施態様固有の判断が行われなければならないことを了解されたい。さらに、そのような開発の努力が、複雑であり時間のかかるものである可能性があるが、それでも、本開示の利益を有する当業者の設計、製作、および製造の日常的な仕事であることを了解されたい。本明細書では、「重大」または「本質的」であるものとして明示的に示されない限り、開示される主題にとって重大または本質的と考えられるものはない。
【００１４】
開示される主題を、これから、添付図面を参照して説明する。さまざまな構造、システム、およびデバイスが、説明のみのために、また、当業者に周知の詳細で開示される主題を不明瞭にしないようにするために、図面では概略的に示される。それでも、添付図面は、開示される主題の例示的な例を記述し、説明するために含まれる。本明細書で使用される単語および句は、当業者によるこれらの単語および句の理解と一貫する意味を有すると理解され、解釈されなければならない。用語または句の特殊な定義すなわち、当業者によって理解される通常の慣例的な意味とは異なる定義が、本明細書での用語または句の一貫した使用によって暗示されることは、意図されていない。用語または句が、特殊な意味すなわち、当業者によって理解されるものとは異なる意味を有することが意図される範囲で、そのような特殊な定義は、用語または句の特殊な定義を直接に明確に提供する定義的な形で本明細書で特に示される。
【００１５】
これから図面を参照するが、図面では、同様の符号が複数の図を通じて同様のコンポーネントに対応し、具体的には、図１を参照して、開示される主題を、送信経路１１０、受信経路１２０、およびサンプリング受信経路１３０を含むトランシーバ１００の文脈で説明する。送信経路１１０およびサンプリング受信経路１３０は、方向性カプラ１４０に接続され、方向性カプラ１４０は、フィルタ・パネル１５０およびアンテナ１６０に接続される。方向性カプラ１４０は、フィルタ・パネル１５０からの反射がサンプリング受信経路１３０に影響するのを防ぐ。フィルタ・パネル１５０（すなわち、一般に送受切替器と呼ばれる）は、発信送信信号を着信受信信号から分離し、送信ＲＦ出力の帯域通過フィルタリングを実行し、受信器ＲＦ入力の帯域通過フィルタリングを実行する。
【００１６】
送信経路１１０は、変調器１１２およびディジタル−アナログ変換器（ＤＡＣ）１１３を含む送信器１１１、送信器ＩＱ補償フィルタ１１４、送信器ＩＱ補償推定ユニット１１５、送信器取込ユニット１１６、電力増幅器１１７、ならびに通常データ・トラフィックとトレーニング信号１１９との間で選択するスイッチ１１８を含む。受信経路１２０は、復調器１２２およびアナログ−ディジタル変換器（ＡＤＣ）１２３を含む受信器１２１、受信器ＩＱ補償フィルタ１２４、受信器ＩＱ補償推定ユニット１２５、ならびに受信器取込ユニット１２６を含む。サンプリング受信経路１３０は、復調器１３２およびＡＤＣ  １３３を含むサンプリング受信器１３１、サンプリング受信器ＩＱ補償フィルタ１３４、サンプリング受信器ＩＱ補償推定ユニット１３５、ならびにサンプリング受信器取込ユニット１３６を含む。送信器１１１、受信器１２１、およびサンプリング受信器１３１は、ハードウェアを使用して実装されるが、図１に示されたさまざまなユニットを、トランシーバ１００のディジタル部分内で（すなわち、ソフトウェアまたはファームウェアを実行する処理ユニットによって）実装することができる。したがって、ユニットは、一般に、ディスクリート・ハードウェアではなく機能を記述する。しかし、特定の実施態様に応じて、ユニットに帰する機能のうちの１つまたは複数を実行するのに専用ハードウェアを使用することができる。
【００１７】
送信器１１１、受信器１２１、およびサンプリング受信器１３１は、同相（Ｉ）信号および直角位相（Ｑ）信号を使用する。これらのコンポーネントの別々の経路は、図示を簡単にするために図示されていない。一般に、Ｉ経路とＱ経路とは、別々であり、これらの経路の間に振幅変動および位相変動が存在する。これらの変動は、送信器１１１、受信器１２１、およびサンプリング受信器１３１で別々の障害を引き起こす。送信器１１１およびサンプリング受信器１３１は、同一の周波数帯で動作する。図示の実施形態では、サンプリング受信器１３１は、送信器障害を補償するのに使用される。送信器１１１が補償された後に、その送信器１１１を使用して、受信器１２１を補償するためのトレーニング信号を生成することができる。しかし、サンプリング受信器１３１は、送信器１１１を推定し、補償するのに使用されるので、サンプリング受信器１３１の障害を、まず推定し、補償しなければならない。当業者に既知のように、サンプリング受信器１３１を、ディジタル・プリディストーションまたは時分割二重化などの機能（すなわち、唯一の受信器として機能すること）のために使用することもできる。
【００１８】
通常のＩＱ送信器１１１について、障害のないベースバンド信号を、
ｓ（ｔ）＝ｓＩ（ｔ）＋ｊｓＱ（ｔ）    （１）
によって表すことができ、ここで、ｓＩ（ｔ）およびｓＱ（ｔ）は、ベースバンド同相信号成分およびベースバンド直角位相信号成分である。
【００１９】
変調器１１２の出力は、
ｘ（ｔ）＝ｉ（ｔ）＋ｊｑ（ｔ）    （２）
によって与えられ、ここで、
ｉ（ｔ）＝αＩ［ｓＩ（ｔ）ｃｏｓ（φＩ）＋ｓＱ（ｔ）ｓｉｎ（φＩ）］
ｑ（ｔ）＝αＱ［ｓＱ（ｔ）ｃｏｓ（φＱ）＋ｓＩ（ｔ）ｓｉｎ（φＱ）］    （３）
であり、αＩ、αＱ、φＩ、φＱは、変調器インバランス誤差（すなわち、障害）である。
【００２０】
式（２）を、所望の信号およびその共役からなる２つの成分の和の形で書き直すことができ、
ｘ（ｔ）＝ａ１ｓ（ｔ）＋ａ２ｓ＊（ｔ）    （４）
ここで、
【数１】
0005349690.tif 000002
である。
【００２１】
ｘ（ｔ）の複素共役は、
ｘ＊（ｔ）＝ａ１＊ｓ＊（ｔ）＋ａ２＊ｓ（ｔ）    （６）
によって与えられ、ｘ（ｔ）およびｘ＊（ｔ）を別々の観察として使用することによって、αＩ、αＱ、φＩ、φＱのインバランス誤差を最小にするのに必要な補償を、ＩＱインバランスの共役対称の性質を活用することによって判定することができる。例示のために、インバランス誤差は、ここではスカラ誤差として与えられるが、一般に、インバランス誤差は、周波数の関数αＩ（ｆ）、αＱ（ｆ）、φＩ（ｆ）、φＱ（ｆ）である。
【００２２】
補償分析を実行するために、この対称の性質を、部分帯域幅トレーニング信号を生成することと、全帯域幅応答信号を測定することとによって使用することができる。障害から生じる信号成分は、帯域幅のうちで部分帯域幅トレーニング信号によってカバーされない部分で検出される。部分帯域幅プロセスは、全帯域幅がカバーされるまで継続され、部分帯域幅反復からの応答信号は、全帯域幅にわたって受信器を補償するために組み合わされる。次の例において、半帯域幅技法が使用される（すなわち、２回の反復）が、３つ以上の部分帯域幅区分を使用できることが企図されている。
【００２３】
補償を容易にするために、送信器１１１は、スイッチ１１８を使用して、通常のデータ・トラフィックではなくトレーニング信号１１９を選択するように構成される。図２Ａに、校正帯域幅の半分をカバーする例示的な送信信号２００を示す。図示の実施形態では、信号２００は、周波数に関して平坦である必要がない、任意の広帯域信号である。図２ｂに、送信信号２００に対する受信器１３１の応答を示す。変調器１１２によって送信され、受信器１３１によって受信される実際の送信信号２１０が、図２Ｂに示されている。送信器障害信号２２０も、送信器１１１のＩＱインバランスに起因して存在することに留意されたい。図２Ｂに示された送信信号２１０は、サンプリング受信器１３１の中心周波数から校正帯域幅の約１／４の負の中心周波数オフセット（すなわち、−ＢＷ／４）を有するように変調器１１２の局部発振器周波数をセットすることによって送信され、この負の中心周波数オフセットは、送信信号２１０をサンプリング受信器１３１の下半分の帯域幅に置く。ＩＱインバランスの対称の性質に起因して、結果の受信器障害信号２３０は、上半分の帯域幅を占め、送信器障害信号２２０から分離される。受信器障害信号２３０が、送信信号２００から生じるサンプリング受信器１３１の障害を表す障害信号２４０と、送信器障害信号２２０から生じるサンプリング受信器１３１の障害を表す受信器障害信号２５０とを含むことに留意されたい。
【００２４】
第２の反復を、図２Ｃに示されているように校正帯域幅の第２の半分をカバーするために実行する。送信信号２１０’（すなわち、送信信号２００’と送信器障害信号２２０’とを含む）は、サンプリング受信器１３１の中心周波数から校正帯域幅の約１／４の正の中心周波数オフセット（すなわち＋ＢＷ／４）を有するように変調器１１２の局部発振器周波数をセットすることによって送信され、この正の中心周波数オフセットは、送信信号２１０’をサンプリング受信器１３１の上半分の帯域幅に置く。やはり、ＩＱインバランスの対称の性質に起因して、結果の受信器障害信号２３０’は、下半分の帯域幅を占め、送信器障害信号２２０’から分離される。受信器障害信号２３０’は、送信信号２００’から生じるサンプリング受信器１３１の障害を表す障害信号２４０’と、送信器障害信号２２０’から生じるサンプリング受信器１３１の障害を表す受信器障害信号２５０’とを含む。
【００２５】
部分帯域幅反復ごとに、サンプリング受信器取込ユニット１３６は、応答信号を記録する。各部分帯域幅取込は、対応する帯域幅の補償フィルタを生成するのに使用される。サンプリング受信器ＩＱ補償推定ユニット１３５は、取込情報を使用して、サンプリング受信器ＩＱ補償フィルタ１３４の係数を生成する。
【００２６】
図３に、サンプリング受信器１３１障害の例示的なモデル３００を示す。この障害は、ブロック３１０、３２０内の係数ｈ１、ｈ２によってモデル化される。モデル化された障害ｈ１、ｈ２は、加算器３３０、３４０によって所望の信号ｓ１［ｎ］、ｓ２［ｎ］に加算され、障害のあるベースバンド信号ｘ１［ｎ］、ｘ２［ｎ］をもたらす。サンプリング受信器ＩＱ補償推定ユニット１３５によって行われる補償は、ブロック３５０、３６０内のフィルタ係数ｗ１、ｗ２を生成し、このフィルタ係数ｗ１、ｗ２は、加算器３７０、３８０内で障害のあるベースバンド信号から減算されて、障害の除去を試み、受信信号
【数２】
0005349690.tif 000003
をもたらす。無相関（ｄｅｃｏｒｒｅｌａｔｉｏｎ）判断基準ブロック３９０は、無相関アルゴリズムの収束判断基準を表す。無相関判断基準が満足される時には、フィルタ・タップの反復調整が終了される。
【００２７】
上で示したように、ベースバンド信号ｘ（ｔ）を、所望の信号ｓ（ｔ）とその共役ｓ＊（ｔ）との和として書くことができる。ダウン・コンバージョン・プロセスの後の共役成分は、ベースバンド周波数領域ではイメージ逆ＤＣ（ｉｍａｇｅ  ｏｐｐｏｓｉｔｅ  ＤＣ）に見える。補償を実行するために、ｘ（ｔ）内の共役寄与を、式（５）に示されたａ１およびａ２のブラインド適応推定（ｂｌｉｎｄ  ａｄａｐｔｉｖｅ  ｅｓｔｉｍａｔｉｏｎ）を介して最小化することができる。混合された信号を分離する１つの例示的な方法は、ソースｓ１（ｔ）＝ｓ（ｔ）およびその共役ｓ２（ｔ）＝ｓ＊（ｔ）が相関しないという条件で、ソースの間の相関を観察し、最小化するのに二次統計を使用することである。信号は、ゼロ平均複素ガウス確率過程であると仮定する。これらの信号の相関は、
【数３】
0005349690.tif 000004
によって与えられる。
【００２８】
式（６）の相関の同相成分および直角位相成分での分離は、
【数４】
0005349690.tif 000005
をもたらす。
【００２９】
この相関の虚数部は、信号の同相成分と直角位相成分とが相関しない場合には０である。この相関の実数部は、同相成分と直角位相成分との両方の自己相関が同一である場合には０である。同相成分自己相関および直角位相成分自己相関は、通常の３Ｇおよび４Ｇのブロードバンド信号について正確に同一ではないが、相関は少なく、適応方式を介する最小化が可能である。
【００３０】
受信信号
【数５】
0005349690.tif 000006
の無相関は、
【数６】
0005349690.tif 000007
を必要とする。この条件は、さらに、
【数７】
0005349690.tif 000008
につながり、ここで、混合係数は、
【数８】
0005349690.tif 000009
および
【数９】
0005349690.tif 000010
によって与えられ、
【数１０】
0005349690.tif 000011
は、それぞれｙ１およびｙ２の自己相関係数である。混合係数は、お互いの共役であり、これは、ｗ２＝ｗ１＊を暗示する。推定すべき１つのタップだけを有する単純なケースを仮定すると、これは、ニュートン・ゼロ・サーチ（Ｎｅｗｔｏｎ  ｚｅｒｏ  ｓｅａｒｃｈ）に似た単純な最小化アルゴリズムを用いてたやすく達成され、ここで、ゼロは、相互相関領域にある。
【００３１】
単純な例では、サンプリング受信器ＩＱ補償推定ユニット１３５は、次の信号分離手順を使用することができる。
１．サンプリング受信器取込ユニット１３６に信号ｘ［ｎ］を取り込む。
２．ｘ１［ｎ］＝ｘ［ｎ］およびｘ２［ｎ］＝ｘ＊［ｎ］を形成する。
３．信号推定値を形成する。
【数１１】
0005349690.tif 000012
４．係数重みを更新する。
【数１２】
0005349690.tif 000013
ここで、μは、ＬＭＳアルゴリズムの収束パラメータであり、
【数１３】
0005349690.tif 000014
は、ｘ２の自己相関係数である。
【００３２】
通常の市販の変調器および復調器上で観察されるＩＱインバランスは、周波数依存であり、単一タップ解決策は、通常、広い帯域幅にまたがってＩＱインバランス・イメージを補償するには適切ではない。広い帯域幅の補償に対処するために、式（６）から（１０）の式をベクトル化して、長さ２Ｌ＋１の補償フィルタを生成することができる。
Ｗ（ｎ）＝［ｗ（ｎ）（−Ｌ）…ｗ（ｎ）（Ｌ）］Ｔ，  −Ｌ≦ｋ≦Ｌ    （１）
ここで、
【数１４】
0005349690.tif 000015
である。
【００３３】
【数１５】
0005349690.tif 000016
および
【数１６】
0005349690.tif 000017
を無相関化するための解が存在する場合には、フィルタ・スパン２Ｌ＋１にわたって
【数１７】
0005349690.tif 000018
である。これは、フィルタ応答ｈ１＝ｗ１、ｈ２＝ｗ２を暗示する。外見は、適応等化のＬＭＳ形に似ているが、この手法は、最小化検索で相互相関を使用する。
【００３４】
上で説明したステップは、フィルタＷ１およびＷ２が奇対称フィルタまたは共役フィルタであると考えるものである。実世界の復調器は、対称ではなく、受信器中心周波数の両側で変化する周波数応答を示す。
【００３５】
上で概要を示したブラインド法を使用して復調器を適切に補償するために、サンプリング受信器ＩＱ補償推定ユニット１３５は、部分帯域幅フィルタ（たとえば、２つの半帯域フィルタ）を作るのに複数ステップ手法を使用する。その後、部分帯域通過フィルタを、周波数領域で一緒にスプライスして、最終的な全帯域補償フィルタを形成する。
【００３６】
サンプリング受信器ＩＱ補償フィルタ１３４の全帯域幅フィルタ係数を生成するために、サンプリング受信器ＩＱ補償推定ユニット１３５は、離散フーリエ変換（ＤＦＴ）によって各部分帯域幅フィルタの時間領域係数を周波数領域に変換する。部分帯域幅応答信号を周波数領域でつなげて、受信器帯域幅全体にわたって定義される周波数応答を形成する。交差点（たとえば、２つの半帯域幅フィルタについてｆ＝０）で、応答は、全帯域幅応答の中点を定義するために平均をとられる。その後、逆ＤＦＴを実行して、全帯域幅応答を時間領域係数に変換して戻す。
【００３７】
サンプリング受信器ＩＱ補償フィルタ１３４が、サンプリング受信器１３１の全ＢＷ補償フィルタを作るために部分ＢＷ取込を使用して構成された後に、送信器１１１を、補償されたサンプリング受信器１３１をトレーニング基準として使用することによって校正することができる。図４に示されているように、トレーニング信号１１９は、今や、送信信号４１０と送信器障害信号４２０とを含む全帯域幅信号４００として構成される。しかし、サンプリング受信器１３１を補償されたトレーニング基準として使用できるので、送信器１１１の補償が可能である。
【００３８】
送信器１１１の後続の最終補償を、当業者に既知の従来の技法を使用して行うことができる。たとえば、全帯域幅トレーニング信号は、変調器１１２によって変調される前（すなわち、送信器障害が変調器１１２によって導入される前）に送信器取込ユニット１１６によって取り込まれる。サンプリング受信器１３１によって受信された信号は、サンプリング受信器障害を除去するためにサンプリング受信器ＩＱ補償フィルタ１３４によって補償される。その後、フィルタリングされた信号は、送信器ＩＱ補償推定ユニット１１５に供給され、送信器ＩＱ補償推定ユニット１１５は、補償された受信信号を送信器取込ユニット１１６によって取り込まれた送信信号と比較する。送信器補償の前に、補償された受信器信号は、送信器障害を含む。補償された受信信号を送信信号と比較することによって、送信器ＩＱ補償推定ユニット１１５は、障害を識別し、送信器ＩＱ補償フィルタ１１４の係数を生成して、送信器障害を補償する。明瞭さのためおよび本主題を不明瞭にすることを避けるために、これらの従来の技法は、本明細書では詳細に説明しない。
【００３９】
本明細書で説明される技法は、外部トレーニング信号を使用せずに、補償された受信器１３１を使用する送信器１１１の補償を可能にする。この手法は、補償技法を単純化し、これによって、トランシーバの複雑さおよびコストを潜在的に減らす。
【００４０】
開示された主題を、本明細書の教示の利益を有する当業者に明白な異なるが同等の形で変更し、実践することができるので、上で開示された特定の実施形態は、例示にすぎない。さらに、下の特許請求の範囲に記載されたもの以外の、本明細書で示された構成または設計の詳細に対する限定は、意図されていない。したがって、上で開示された特定の実施形態を変更しまたは修正することができ、すべてのそのような変形形態が開示される主題の趣旨および範囲内と考えられることは、明白である。したがって、本明細書で求められる保護は、下の特許請求の範囲で示される。
【図１】
0005349690.tif 000019
【図２Ａ】
0005349690.tif 000020
【図２Ｂ】
0005349690.tif 000021
【図２Ｃ】
0005349690.tif 000022
【図３】
0005349690.tif 000023
【図４】
0005349690.tif 000024